(57)【要約】【課題】  ノイズ除去効果をより向上したノイズフィルタを得る。【解決手段】  屈曲部２２Ｃ、２４Ｃを有する内部導体２２、２４の一端が、下側のセラミック層１２Ａの端部に向かって引き出され、内部導体２２、２４の他端が、上側中央のセラミック層１２Ａの端部に向かって引き出される。面状の内部導体２１、２３、２５から、下側中央のセラミック層１２Ａの端部に向かって引き出される。内部導体２２の引出部２２Ａに接続される信号用端子電極が、下側の側面の右寄りに配置され、内部導体２４の引出部２４Ａに接続される信号用端子電極が、下側の側面の左寄りに配置される。内部導体２１、２３、２５の各引出部２６に接続されるグランド用端子電極が、下側の側面の中央部に配置される。上側の側面に、内部導体２２の引出部２２Ｂ及び内部導体２４の引出部２４Ｂに接続される連結電極が配置される。【選択図】  図１
2005079756.tif 000002
【特許請求の範囲】
【請求項１】
誘電体層を積層して形成された誘電体素体と、
誘電体素体の一側面に配置されて外部回路にそれぞれ接続され得る一対の第１端子電極と、
一対の第１端子電極が存在する側面に配置されて外部回路に接続され得る第２端子電極と、
屈曲部を有すると共に両端が誘電体素体外に引き出される形で誘電体素体内に配置され且つ、一対の第１端子電極にそれぞれの一端が個々に接続される一対の第１内部導体と、
誘電体素体の側面に配置され且つ、一対の第１内部導体の他端同士を誘電体素体の外側にて接続させる連結電極と、
一対の第１内部導体と誘電体層で隔てられつつ誘電体素体内の一対の第１内部導体間に少なくとも配置され且つ、誘電体素体の側面に一端が引き出されて第２端子電極に接続される第２内部導体と、
を備えることを特徴とするノイズフィルタ。
【請求項２】
第２内部導体が、誘電体層を介した一対の第１内部導体の外側の位置にも配置されることを特徴とする請求項１記載のノイズフィルタ。
【請求項３】
屈曲部を有すると共に両端が誘電体素体外に引き出される形の第３内部導体が誘電体素体内に配置されると共に、連結電極が一対存在し、一対の第１内部導体の他端同士が一対の連結電極及び第３内部導体を介して接続されることを特徴とする請求項１記載のノイズフィルタ。
【請求項４】
一対の第１端子電極が配置される側面と対向する側面に連結電極が配置されることを特徴とする請求項１記載のノイズフィルタ。
【請求項５】
誘電体層を含む一対の第１内部導体及び第２内部導体により積層ブロックが構成され、この積層ブロックが誘電体素体に複数内蔵されたことを特徴とする請求項１記載のノイズフィルタ。
【発明の詳細な説明】
【技術分野】
【０００１】
本発明は、貫通型コンデンサを基本構造として分布定数型フィルタの効力を付加してノイズ除去効果をより向上したノイズフィルタに係り、特に情報処理機器や通信機器の回路に好適なものである。
【背景技術】
【０００２】
近年の大半の情報処理機器や通信機器はディジタル化され、さらに情報処理能力の高速化よってこれらの機器で取り扱われるディジタル信号の高周波化が進んでいる。従って、これらの機器から発生するノイズも同様に高周波領域で増大する傾向にあり、多くの機器には、ノイズ対策をして電磁波障害の防止や不要な電圧変動の抑止を図る為の電子部品が使用されている。そして、このノイズ対策の為の電子部品として、一般的に貫通型積層コンデンサが採用されている。
【０００３】
ここで、ノイズ対策を図る為の積層型の貫通コンデンサである貫通型積層コンデンサ１１０を図２１から図２３に示し、以下に説明する。
この貫通型積層コンデンサ１１０は、図２２に示すように相互に対向する二側面に引き出された信号用導体となる第１内部導体１１２を配置した誘電体シート１２２及び、この二側面と異なる二側面に引き出された接地用導体となる第２内部導体１１４を配置した誘電体シート１２４が、それぞれ積層された図２１に示す積層体１２０とされるような構造になっている。
【０００４】
さらに、積層体１２０の両端部には、第１内部導体１１２とそれぞれ繋がる一対の端子電極１３２Ａ、１３２Ｂが配置され、また、積層体１２０の両側部には、第２内部導体１１４とそれぞれ繋がる一対の端子電極１３４Ａ、１３４Ｂが配置されていて、一対の端子電極１３２Ａ、１３２Ｂが信号線路側に接続され得るようになると共に、一対の端子電極１３４Ａ、１３４Ｂが接地側に接続され得るようになっている。そして、この貫通型積層コンデンサ１１０では、図２３に示す等価回路図のように、第１内部導体１１２と第２内部導体１１４とでコンデンサＣが構成されている。
【特許文献１】特許２６５７９５３号公報
【特許文献２】特開平６−５３０４７号公報
【特許文献３】特開平８−３１６１００号公報
【特許文献４】特開平９−５５３３５号公報
【発明の開示】
【発明が解決しようとする課題】
【０００５】
しかし、最近の機器は著しく高周波化し、ノイズはますます増加する一方、機器の低消費電力化から動作電圧が低下しており、機器のノイズに対する耐久性は低下している。この為、ノイズ対策用の電子部品であるノイズフィルタとして、貫通型積層コンデンサは多くの電子機器に用いられて効力を発揮してきたが、より高いノイズ除去効果が要求されるようになった。
本発明は上記事実を考慮し、ノイズ除去効果をより向上したノイズフィルタを提供することを目的とする。
【課題を解決するための手段】
【０００６】
請求項１によるノイズフィルタは、誘電体層を積層して形成された誘電体素体と、
誘電体素体の一側面に配置されて外部回路にそれぞれ接続され得る一対の第１端子電極と、
一対の第１端子電極が存在する側面に配置されて外部回路に接続され得る第２端子電極と、
屈曲部を有すると共に両端が誘電体素体外に引き出される形で誘電体素体内に配置され且つ、一対の第１端子電極にそれぞれの一端が個々に接続される一対の第１内部導体と、
誘電体素体の側面に配置され且つ、一対の第１内部導体の他端同士を誘電体素体の外側にて接続させる連結電極と、
一対の第１内部導体と誘電体層で隔てられつつ誘電体素体内の一対の第１内部導体間に少なくとも配置され且つ、誘電体素体の側面に一端が引き出されて第２端子電極に接続される第２内部導体と、
を備えることを特徴とする。
【０００７】
請求項１に係るノイズフィルタでは、屈曲部を有すると共に両端が誘電体素体外に引き出される形の一対の第１内部導体及び、これら一対の第１内部導体と誘電体層で隔てられつつ一対の第１内部導体間に少なくとも存在する第２内部導体が、誘電体層を積層して形成された誘電体素体内に、配置された構成になっている。
【０００８】
さらに、誘電体素体の一側面に配置されて外部回路にそれぞれ接続され得る一対の第１端子電極に、一対の第１内部導体のそれぞれの一端が個々に接続されている。また、誘電体素体の側面に配置される連結電極が、一対の第１内部導体の他端同士を誘電体素体の外側にて接続させている。そして、一対の第１端子電極が存在する誘電体素体の側面に配置され且つ外部回路に接続され得る第２端子電極に、第２内部導体の一端が引き出されて接続されている。
【０００９】
従って、本請求項では、連結電極を介して相互に接続されて同極性となる一対の第１内部導体と、一対の第１内部導体間に配置される第２内部導体との間に介される誘電体層によって、静電容量が得られる。また、屈曲部を有することでそれぞれ蛇行する一対の第１内部導体が、連結電極を介して相互に接続されて電流の流れる流路が長くなるのに伴って、これら一対の第１内部導体が適度な大きさのインダクタンス及び抵抗を構成することにより、誘電体層による静電容量と相侯って分布定数フィルタとして機能するようになる。
【００１０】
以上より、本請求項によれば、貫通型コンデンサを基本構造として分布定数型フィルタの効力を付加したことで、ノイズ除去効果をより向上したノイズフィルタが得られるようになる。
【００１１】
請求項２に係るノイズフィルタによれば、請求項１のノイズフィルタと同様の構成の他に、第２内部導体が、誘電体層を介した一対の第１内部導体の外側の位置にも配置されるという構成を有している。
従って、請求項１と同様の作用が生じるだけでなく、一対の第１内部導体と第２内部導体との間に介される誘電体層が増えて、より一層多くの静電容量が得られようになる。つまり、これら一対の第１内部導体及び第２内部導体が最適に配置されてノイズフィルタの小型化を図ることも可能となる。
【００１２】
請求項３に係るノイズフィルタによれば、請求項１のノイズフィルタと同様の構成の他に、屈曲部を有すると共に両端が誘電体素体外に引き出される形の第３内部導体が誘電体素体内に配置されると共に、連結電極が一対存在し、一対の第１内部導体の他端同士が一対の連結電極及び第３内部導体を介して接続されるという構成を有している。
従って、一対の第１内部導体と接続されて同極性となると共に屈曲部を有して蛇行する第３内部導体を有することで、静電容量だけでなくインダクタンス及び抵抗が増加するようになって、ノイズ除去効果がより一層向上するようになる。
【００１３】
請求項４に係るノイズフィルタによれば、請求項１のノイズフィルタと同様の構成の他に、一対の第１端子電極が配置される側面と対向する側面に連結電極が配置されるという構成を有している。
従って、一対の第１端子電極が配置される側面と対向する側面に連結電極が配置されることで、一対の第１内部導体の電流の流れる流路をより長くできるようになると共に、誘電体素体の側面を有効に活用できるようになった。
【００１４】
請求項５に係るノイズフィルタによれば、請求項１のノイズフィルタと同様の構成の他に、誘電体層を含む一対の第１内部導体及び第２内部導体により積層ブロックが構成され、この積層ブロックが誘電体素体に複数内蔵されたという構成を有している。
従って、本請求項によれば、一対の第１内部導体及び第２内部導体により構成された積層ブロックが誘電体素体に複数内蔵されたことで、複数の分布定数型フィルタの効力を有してアレイ化されたノイズフィルタとされることになる。
【発明の効果】
【００１５】
本発明によれば、貫通型コンデンサを基本構造として分布定数型フィルタの効力を付加したことで、ノイズ除去効果をより向上したノイズフィルタを得ることが可能となる。
【発明を実施するための最良の形態】
【００１６】
以下、本発明に係るノイズフィルタの第１の実施の形態を図面に基づき説明する。
図１から図８に示すように、誘電体シートであるセラミックグリーンシートを複数枚積層したものを焼成することで得られた直方体状の積層体である誘電体素体１２を主要部として、本発明の第１の実施の形態に係る貫通型コンデンサであるノイズフィルタ１０が構成されている。
【００１７】
図１に示すように、この誘電体素体１２内の最前部には、内部導体の無いセラミック層１２Ａが保護層として配置されており、この奥側となる誘電体素体１２内の位置には、面状の内部導体２１が配置されている。誘電体素体１２内において、セラミックグリーンシートが焼結されたものであって誘電体層とされるセラミック層１２Ａを隔てた内部導体２１の奥側には、導体が折り曲げられた部分である屈曲部２２Ｃを複数有していて細長く蛇行した形に形成された内部導体２２が配置されている。
【００１８】
また、誘電体素体１２内においてセラミック層１２Ａを隔てた内部導体２２の奥側には、同じく面状の内部導体２３が配置されており、同じく誘電体素体１２内においてセラミック層１２Ａを隔てた内部導体２３の奥側には、導体が折り曲げられた部分である屈曲部２４Ｃを複数有していて細長く蛇行した形に形成された内部導体２４が配置されている。さらに、誘電体素体１２内においてセラミック層１２Ａを隔てた内部導体２４の奥側には、面状の内部導体２５が配置されている。
【００１９】
従って、これら内部導体２１から内部導体２５までの５枚の内部導体が、誘電体素体１２内においてセラミック層１２Ａで隔てられつつ相互に対向して配置されることになる。そして、これらの内の面状の内部導体２１、２３、２５の中心は、各セラミック層１２Ａの中心とほぼ同位置に配置されており、また、内部導体２１、２３、２５の縦横寸法は、対応するセラミック層１２Ａの辺の長さよりそれぞれ小さくされている。
【００２０】
一方、内部導体２２の一端が、下側右寄りのセラミック層１２Ａの端部に向かって引き出される引出部２２Ａとされており、また、内部導体２２の他端が、上側中央のセラミック層１２Ａの端部に向かって引き出される引出部２２Ｂとされている。さらに、内部導体２４の一端が、下側左寄りのセラミック層１２Ａの端部に向かって引き出される引出部２４Ａとされており、また、内部導体２２の他端が、上側中央のセラミック層１２Ａの端部に向かって引き出される引出部２４Ｂとされている。
【００２１】
他方、面状の内部導体２１、２３、２５の下側からは、下側中央のセラミック層１２Ａの端部に向かって導体が１箇所引き出されて引出部２６とされることで、この引出部２６がこれら内部導体２１、２３、２５から引き出された一端とされている。
【００２２】
従って本実施の形態では、図２及び図４に示すように、内部導体２２の両端となる引出部２２Ａ、２２Ｂ及び、内部導体２４の両端となる引出部２４Ａ、２４Ｂが、それぞれ誘電体素体１２の４つ側面の内の相互に対向する上下の二側面１２Ｂ、１２Ｃに引き出された構造になっており、また、内部導体２１、２３、２５の一端となる引出部２６が、それぞれ誘電体素体１２の４つ側面の内の下側の側面１２Ｂに引き出された構造になっている。
【００２３】
そして、内部導体２２の引出部２２Ａに接続される信号用端子電極３１が、誘電体素体１２の外側となる図３における下側の側面１２Ｂの右寄り部分に配置されており、内部導体２４の引出部２４Ａに接続される信号用端子電極３２が、誘電体素体１２の外側となる図３における下側の側面１２Ｂの左寄り部分に配置されている。さらに、内部導体２１、２３、２５の各引出部２６に一体的に接続されるグランド用端子電極３３が、誘電体素体１２の外側となる図３における下側の側面１２Ｂの中央部に配置されている。
【００２４】
一方、誘電体素体１２の外側となる図５における上側の側面１２Ｃの中央部には、図４に示す内部導体２２の引出部２２Ｂ及び内部導体２４の引出部２４Ｂに接続される連結電極３４が、配置されている。つまり、連結電極３４は、これら引出部２２Ｂ、２４Ｂ同士を接続させて内部導体２２と内部導体２４との間を直列に接続している。但し、この連結電極３４は、内部導体２２、２４間を誘電体素体１２の外部で接続させることのみを目的としている為、外部回路へ接続されない。
【００２５】
以上より、本実施の形態では、積層コンデンサ１０の直方体であって六面体形状とされる誘電体素体１２の４つの側面の内の二側面１２Ｂ、１２Ｃに信号用端子電極３１、３２、グランド用端子電極３３及び連結電極３４が、それぞれ配置されることになる。
【００２６】
そして、これら信号用端子電極３１、３２が一対の第１端子電極とされ、グランド用端子電極３３が第２端子電極とされて、それぞれ外部回路にそれぞれ接続され得ることになり、図８に示す等価回路図のように本実施の形態に係るノイズフィルタ１０は、各端子電極間に抵抗Ｒ、インダクタンスＬ、コンデンサＣを有した構造になっている。
【００２７】
以上より、本実施の形態のノイズフィルタ１０が基板に実装されて例えばディジタル信号回路で使用される際には、図７に示すように、これら一対の信号用端子電極３１、３２が多層のプリント基板５０の信号線路５１Ａ、５１Ｂに接続され得るようになると共に、グランド用端子電極３３が同じくプリント基板５０のスルーホール５２を介してグランド層５３に接続され得るようになる。そしてこれに伴って、プリント基板５０の面に対し、誘電体素体１２内の各内部導体２１〜２５が垂直に配置されることになる。
【００２８】
つまり、本実施の形態では、第１内部導体である内部導体２２、２４で信号を伝達する経路を構成すると共に、第２内部導体である内部導体２１、２３、２５で接地側に繋がる経路を構成し、これら内部導体２１〜２５及びセラミック層１２Ａでコンデンサを構成する形とされている。尚、これら内部導体の材質としては、例えばニッケル、ニッケル合金、銅或いは、銅合金が考えられる。
【００２９】
次に、本実施の形態に係るノイズフィルタ１０の作用を説明する。
本実施の形態に係るノイズフィルタ１０では、屈曲部２２Ｃ、２４Ｃを有すると共に両端が誘電体素体１２外に引き出される形の一対の内部導体２２、２４、これら一対の内部導体２２、２４とセラミック層１２Ａで隔てられつつ一対の内部導体２２、２４間に存在する内部導体２３及び、セラミック層１２Ａを介した一対の内部導体２２、２４の外側の位置に存在する内部導体２１、２５が、セラミック層１２Ａを積層して形成された誘電体素体１２内に、配置された構造となっている。
【００３０】
さらに、誘電体素体１２の一側面である下側の側面１２Ｂに配置される一対の信号用端子電極３１、３２に、一対の内部導体２２、２４のそれぞれの一端が個々に接続されており、また、これら一対の信号用端子電極３１、３２が配置される側面１２Ｂと対向する誘電体素体１２の上側の側面１２Ｃに配置される連結電極３４が、一対の内部導体２２、２４の他端同士を誘電体素体１２の外側にて接続させている。
【００３１】
そして、一対の信号用端子電極３１、３２が存在する誘電体素体１２の側面１２Ｂに配置されるグランド用端子電極３３に、内部導体２１、２３、２５の一端がそれぞれ引き出されて、接続されている。これに伴い、これら一対の信号用端子電極３１、３２及びグランド用端子電極３３は、外部回路である例えば図７に示すプリント基板５０にそれぞれ接続される。
【００３２】
従って、本実施の形態では、連結電極３４を介して相互に接続されて同極性となる一対の内部導体２２、２４と、これら一対の内部導体２２、２４と交互に配置される内部導体２１、２３、２５との間に介されるセラミック層１２Ａによって、静電容量が得られることになる。
【００３３】
また、屈曲部２２Ｃ、２４Ｃを有することでそれぞれ蛇行する一対の内部導体２２、２４が、連結電極３４を介して相互に接続されて電流の流れる流路が長くなるのに伴って、これら一対の内部導体２２、２４が適度な大きさのインダクタンス及び抵抗を構成することにより、セラミック層１２Ａによる静電容量と相侯って、本実施の形態に係るノイズフィルタ１０が分布定数フィルタとして機能する。
【００３４】
以上より、本実施の形態によれば、貫通型コンデンサを基本構造として分布定数型フィルタの効力を付加したことで、ノイズ除去効果をより向上したノイズフィルタ１０が得られるようになる。
【００３５】
他方、本実施の形態では、一対の信号用端子電極３１、３２が配置される側面１２Ｂと対向する側面１２Ｃに連結電極３４が配置されていることで、一対の内部導体２２、２４の電流の流れる流路をより長くできるようになると共に、誘電体素体１２の側面を有効に活用できるようになった。
【００３６】
そして、本実施の形態に係るノイズフィルタ１０は、例えば使用例を示す図６のディジタル信号回路において、ディジタル素子６０間に配置されて使用されることになる。この際、このディジタル信号回路で従来例の貫通コンデンサによるノイズフィルタを使用した場合の図９（Ａ）に示す信号波形と比較して、本実施の形態に係るノイズフィルタ１０を使用した場合の図９（Ｂ）に示す信号波形は、オーバーシュート及びアンダーシュートが抑制されて、波形が良好になっている。この為、この図９の信号波形から、本実施の形態による効果が高いことが理解できる。
【００３７】
次に、本発明に係るノイズフィルタの第２の実施の形態を図１０から図１２に基づき説明する。尚、第１の実施の形態で説明した部材と同一の部材には同一の符号を付して、重複した説明を省略する。
図１０に示すように本実施の形態では、第１の実施の形態と同様の内部導体２１の前側の誘電体素体１２内に、導体が折り曲げられた部分である屈曲部４１Ｃを複数有すると共に両端が誘電体素体１２外に引き出される形の第３内部導体である内部導体４１が、配置されている。この為、セラミック層１２Ａを隔てたこの奥側となる誘電体素体１２内の位置に、内部導体２１が配置されることになる。
【００３８】
つまり、この内部導体４１は複数の屈曲部４１ＣによりＷ字状に屈曲して鍵形となって、両端となる引出部４１Ａ、４１Ｂが、上側左右寄りのセラミック層１２Ａの端部に向かってそれぞれ引き出されている。そして、これに対応して、本実施の形態の内部導体２２の他端は、上側左寄りのセラミック層１２Ａの端部に向かって引き出される引出部２２Ｂとされており、また、本実施の形態の内部導体２４の他端は、上側右寄りのセラミック層１２Ａの端部に向かって引き出される引出部２４Ｂとされている。
【００３９】
さらに、本実施の形態では、第１の実施の形態の連結電極３４の替わりに、図１１に示すように、一対の連結電極３５、３６が、誘電体素体１２の上側の側面１２Ｃの左右の部分にそれぞれ配置されて、存在している。つまり、連結電極３５は、引出部４１Ａ、２２Ｂ同士を接続させており、また、連結電極３６は、引出部４１Ｂ、２４Ｂ同士を接続させていて、内部導体２２の他端と内部導体２４の他端との間が一対の連結電極３５、３６及び内部導体４１を介して直列に接続されていることになる。
【００４０】
そして、本実施の形態のノイズフィルタ１０も、図１２に示すように、一対の信号用端子電極３１、３２が多層のプリント基板５０の信号線路５１Ａ、５１Ｂに接続され得るようになると共に、グランド用端子電極３３が同じくプリント基板５０のスルーホール５２を介してグランド層５３に接続され得るようになっている。
【００４１】
以上より、本実施の形態に係るノイズフィルタ１０では、一対の内部導体２２、２４と接続されて同極性となると共に、屈曲部４１Ｃを有して蛇行する内部導体４１を有することで、静電容量だけでなくインダクタンス及び抵抗が増加するようになって、ノイズ除去効果がより一層向上するようになる。
【００４２】
次に、本発明に係るノイズフィルタの第３の実施の形態を図１３に基づき説明する。尚、第１の実施の形態で説明した部材と同一の部材には同一の符号を付して、重複した説明を省略する。
図１３に示すように本実施の形態では、第２の実施の形態と同様に内部導体２１の前側の誘電体素体１２内に、導体が折り曲げられた部分である屈曲部４２Ｃを有してＬ字形とされると共に両端が誘電体素体１２外に引き出される形の内部導体４２が、配置されている。
【００４３】
つまり、この内部導体４２の一端となる引出部４２Ａが下側左寄りのセラミック層１２Ａの端部に向かって引き出されており、また、この内部導体４２の他端となる引出部４２Ｂが上側右寄りのセラミック層１２Ａの端部に向かって引き出されている。さらに、内部導体２１の奥側の誘電体素体１２内に、屈曲部４３Ｃを複数有してＵ字形とされると共に両端が誘電体素体１２外に引き出される形の内部導体４３が、配置されている。すなわち、この内部導体４３の両端となる引出部４３Ａ、４３Ｂが、上側左右寄りのセラミック層１２Ａの端部に向かってそれぞれ引き出されている。
【００４４】
そして、セラミック層１２Ａを隔てたこの奥側となる誘電体素体１２内の位置に、第１の実施の形態と同様の内部導体２３が配置されているが、セラミック層１２Ａを隔てたこの内部導体２３の奥側には、導体が折り曲げられた部分である屈曲部４４Ｃを有してＬ字形とされると共に両端が誘電体素体１２外に引き出される形の内部導体４４が、配置されている。つまり、この内部導体４４の一端となる引出部４４Ａが下側右寄りのセラミック層１２Ａの端部に向かって引き出されており、また、この内部導体４４の他端となる引出部４４Ｂが上側左寄りのセラミック層１２Ａの端部に向かって引き出されている。
【００４５】
他方、本実施の形態でも、第２の実施の形態と同様に、一対の連結電極３５、３６が、誘電体素体１２の上側の側面１２Ｃの左右の部分にそれぞれ配置されて、存在している。そして、この連結電極３５は、引出部４３Ａ、４４Ｂ同士を接続させており、また、連結電極３６は、引出部４２Ｂ、４３Ｂ同士を接続させていて、内部導体４２の他端と内部導体４４の他端との間が一対の連結電極３５、３６及び内部導体４３を介して直列に接続されている。
【００４６】
以上より、本実施の形態に係るノイズフィルタ１０では、一対の内部導体４２、４４と接続されて同極性となると共に、屈曲部４３Ｃを有して蛇行する内部導体４３を有することで、第２の実施の形態と同様に、静電容量だけでなくインダクタンス及び抵抗が増加するようになって、ノイズ除去効果がより一層向上するようになる。
【００４７】
次に、本発明に係るノイズフィルタの第４の実施の形態を図１４から図１８に基づき説明する。尚、第１の実施の形態で説明した部材と同一の部材には同一の符号を付して、重複した説明を省略する。
図１４に示すように本実施の形態では、第１の実施の形態と同様の構造のセラミック層１２Ａを含む一対の内部導体２２、２４及び内部導体２１、２３、２５により積層ブロック６１が構成されており、内部導体の無いセラミック層１２Ａにより構成される中間層６２を介して複数配置されるように、図１５及び図１７に示す誘電体素体１２内にこの積層ブロック６１が複数内蔵されている。
【００４８】
これに伴い本実施の形態では、積層ブロック６１の数に合わせて、信号用端子電極３１及び信号用端子電極３２が誘電体素体１２の図１６における下側の側面１２Ｂに複数ずつ配置されており、連結電極３４が誘電体素体１２の図１８における上側の側面１２Ｃに複数配置されている。但し、グランド用端子電極３３は各積層ブロック６１を繋ぐ形で一体的に図１６における下側の側面１２Ｂに配置されている。
【００４９】
従って、本実施の形態によれば、一対の内部導体２２、２４及び内部導体２１、２３、２５により構成された積層ブロック６１が、誘電体素体１２に複数内蔵されたことで、独立して機能する複数の分布定数型フィルタの効力を有してアレイ化されたノイズフィルタ１０になる。
【００５０】
次に、本発明に係るノイズフィルタの第５の実施の形態を図１９及び図２０に基づき説明する。尚、第１の実施の形態で説明した部材と同一の部材には同一の符号を付して、重複した説明を省略する。
図１９に示すように本実施の形態では、第１の実施の形態と同様の構成を有するものの、内部導体２２の替わりに、屈曲部４５Ｃを複数有した内部導体４５及び面状の内部導体４６が配置されている。また、内部導体２４の替わりに、屈曲部４７Ｃを複数有した内部導体４７及び面状の内部導体４８が配置されている。そして、信号用端子電極３１が内部導体４５と内部導体４７とを相互に接続した構造になっており、また、信号用端子電極３２が内部導体４６と内部導体４８とを相互に接続した構造になっている。
【００５１】
つまり、第１の実施の形態の等価回路図と比較して、本実施の形態では、図２０に示す等価回路図のようにコンデンサＣが一対追加して配置されるような構造なっていて、より高機能のノイズフィルタ１０となる。
【図面の簡単な説明】
【００５２】
【図１】本発明の第１の実施の形態に係るノイズフィルタの分解斜視図である。
【図２】本発明の第１の実施の形態に係るノイズフィルタの端子電極を設置する前の状態を示す下から見た斜視図である。
【図３】本発明の第１の実施の形態に係るノイズフィルタを示す下から見た斜視図である。
【図４】本発明の第１の実施の形態に係るノイズフィルタの端子電極を設置する前の状態を示す上から見た斜視図である。
【図５】本発明の第１の実施の形態に係るノイズフィルタを示す上から見た斜視図である。
【図６】本発明の第１の実施の形態に係るノイズフィルタの使用例を示す説明図である。
【図７】本発明の第１の実施の形態に係るノイズフィルタをプリント基板に実装した状態を示す断面図である。
【図８】本発明の第１の実施の形態に係るノイズフィルタの等価回路図である。
【図９】ディジタル信号回路にノイズフィルタを使用した場合の信号波形を示す図であって、（Ａ）は従来例のノイズフィルタを使用した場合の信号波形であり、（Ｂ）は第１の実施の形態に係るノイズフィルタを使用した場合の信号波形である。
【図１０】本発明の第２の実施の形態に係るノイズフィルタの分解斜視図である。
【図１１】本発明の第２の実施の形態に係るノイズフィルタを示す上から見た斜視図である。
【図１２】本発明の第２の実施の形態に係るノイズフィルタをプリント基板に実装した状態を示す断面図である。
【図１３】本発明の第３の実施の形態に係るノイズフィルタの分解斜視図である。
【図１４】本発明の第４の実施の形態に係るノイズフィルタの分解斜視図である。
【図１５】本発明の第４の実施の形態に係るノイズフィルタの端子電極を設置する前の状態を示す下から見た斜視図である。
【図１６】本発明の第４の実施の形態に係るノイズフィルタを示す下から見た斜視図である。
【図１７】本発明の第４の実施の形態に係るノイズフィルタの端子電極を設置する前の状態を示す上から見た斜視図である。
【図１８】本発明の第４の実施の形態に係るノイズフィルタを示す上から見た斜視図である。
【図１９】本発明の第５の実施の形態に係るノイズフィルタの分解斜視図である。
【図２０】本発明の第５の実施の形態に係るノイズフィルタの等価回路図である。
【図２１】従来例の貫通型積層コンデンサを示す斜視図である。
【図２２】従来例の貫通型積層コンデンサの分解斜視図であって、（Ａ）は信号線路側に接続され得る第１内部導体を配置した誘電体シートの斜視図であり、（Ｂ）は接地側に接続され得る第２内部導体を配置した誘電体シートの斜視図である。
【図２３】従来例の貫通型積層コンデンサの等価回路図である。
【符号の説明】
【００５３】
１０      ノイズフィルタ
１２      誘電体素体
１２Ｂ、１２Ｃ    側面
２２、２４        内部導体（第１内部導体）
２１、２３、２５  内部導体（第２内部導体）
３１、３２        信号用端子電極（第１端子電極）
３３      グランド用端子電極（第２端子電極）
３４      連結電極
３５      連結電極
３６      連結電極
４１      内部導体（第３内部導体）
６１      積層ブロック
【図１】
2005079756.tif 000003
【図２】
2005079756.tif 000004
【図３】
2005079756.tif 000005
【図４】
2005079756.tif 000006
【図５】
2005079756.tif 000007
【図６】
2005079756.tif 000008
【図７】
2005079756.tif 000009
【図８】
2005079756.tif 000010
【図９】
2005079756.tif 000011
【図１０】
2005079756.tif 000012
【図１１】
2005079756.tif 000013
【図１２】
2005079756.tif 000014
【図１３】
2005079756.tif 000015
【図１４】
2005079756.tif 000016
【図１５】
2005079756.tif 000017
【図１６】
2005079756.tif 000018
【図１７】
2005079756.tif 000019
【図１８】
2005079756.tif 000020
【図１９】
2005079756.tif 000021
【図２０】
2005079756.tif 000022
【図２１】
2005079756.tif 000023
【図２２】
2005079756.tif 000024
【図２３】
2005079756.tif 000025